(57)【要約】【課題】電力購入希望者の利便性を向上させることができる電力売買仲介システムおよび電力売買仲介方法を提供する。【解決手段】電力売買仲介システムは、電力購入希望者と電力販売希望者との間の電力売買を仲介する電力売買仲介部を備え、前記電力売買仲介部は、電力販売希望者が販売を希望する電力の量、属性および種別を取得する取得部と、電力販売希望者が販売を希望する電力の属性に、複数の種別が含まれる場合に、電力販売希望者が販売を希望する複数の種別の電力の量を種別毎に異なる色で表示する表示部と、電力購入希望者が購入を希望する電力の量、属性および種別を受け付ける選択部と、電力販売希望者が販売を希望する電力の属性および種別が、電力購入希望者が購入を希望する電力の属性および種別と同一である場合に、電力販売希望者が販売を希望する電力を電力購入希望者に割り当てる処理部とを備える。【選択図】図１
2019046155.tif 000002
【特許請求の範囲】
【請求項１】
電力購入希望者と電力販売希望者との間の電力売買を仲介する電力売買仲介部を備え、
前記電力売買仲介部は、
電力販売希望者が販売を希望する電力の量、属性および種別を取得する取得部と、
電力販売希望者が販売を希望する電力の属性に、複数の種別が含まれる場合に、電力販売希望者が販売を希望する複数の種別の電力の量を種別毎に異なる色で表示する表示部と、
電力購入希望者が購入を希望する電力の量、属性および種別を受け付ける選択部と、
電力販売希望者が販売を希望する電力の属性および種別が、電力購入希望者が購入を希望する電力の属性および種別と同一である場合に、電力販売希望者が販売を希望する電力を電力購入希望者に割り当てる処理部とを備える、
電力売買仲介システム。
【請求項２】
電力販売希望者が販売を希望する電力が、その電力を発電した発電所の所在地である第１属性に分類される場合、
前記表示部は、
第１発電所が存在する第１地域において発電されかつ電力販売希望者が販売を希望する電力の量を、第１種別を示す第１色によって表示し、
第２発電所が存在する第２地域において発電されかつ電力販売希望者が販売を希望する電力の量を、第２種別を示す第２色によって表示し、
前記表示部によって表示される前記第１色の面積と前記第２色の面積との比は、前記第１発電所が発電しかつ電力販売希望者が販売を希望する電力の量と、前記第２発電所が発電しかつ電力販売希望者が販売を希望する電力の量との比と等しい、
請求項１に記載の電力売買仲介システム。
【請求項３】
電力販売希望者が販売を希望する電力が、その電力を発電した発電方法である第２属性に分類される場合、
前記表示部は、
第１発電方法によって発電されかつ電力販売希望者が販売を希望する電力の量を、第１種別を示す第１色によって表示し、
第２発電方法によって発電されかつ電力販売希望者が販売を希望する電力の量を、第２種別を示す第２色によって表示し、
前記表示部によって表示される前記第１色の面積と前記第２色の面積との比は、前記第１発電方法によって発電されかつ電力販売希望者が販売を希望する電力の量と、前記第２発電方法によって発電されかつ電力販売希望者が販売を希望する電力の量との比と等しい、
請求項１に記載の電力売買仲介システム。
【請求項４】
電力販売希望者が販売を希望する電力が、その電力が電力消費量が小さい時間帯に蓄電された電力であるか否かを示す系統安定貢献度である第３属性に分類される場合、
前記表示部は、
第１系統安定貢献度を有しかつ電力販売希望者が販売を希望する電力の量を、第１種別を示す第１色によって表示し、
第２系統安定貢献度を有しかつ電力販売希望者が販売を希望する電力の量を、第２種別を示す第２色によって表示し、
前記表示部によって表示される前記第１色の面積と前記第２色の面積との比は、前記第１系統安定貢献度を有しかつ電力販売希望者が販売を希望する電力の量と、前記第２系統安定貢献度を有しかつ電力販売希望者が販売を希望する電力の量との比と等しい、
請求項１に記載の電力売買仲介システム。
【請求項５】
電力販売希望者が販売を希望する電力が、その電力の販売価格である第４属性に分類される場合、
前記表示部は、
第１販売価格を有しかつ電力販売希望者が販売を希望する電力の量を、第１種別を示す第１色によって表示し、
第２販売価格を有しかつ電力販売希望者が販売を希望する電力の量を、第２種別を示す第２色によって表示し、
前記表示部によって表示される前記第１色の面積と前記第２色の面積との比は、前記第１販売価格を有しかつ電力販売希望者が販売を希望する電力の量と、前記第２販売価格を有しかつ電力販売希望者が販売を希望する電力の量との比と等しい、
請求項１に記載の電力売買仲介システム。
【請求項６】
電力購入希望者が購入を希望する電力の属性に複数の種別が含まれる場合に、電力購入希望者が購入を希望する電力の複数の種別に優先順位を付加する付加部を更に備える、
請求項１から請求項５のいずれか一項に記載の電力売買仲介システム。
【請求項７】
電力販売希望者が販売を希望する電力に第３種別が含まれる場合であって、
前記第３種別の電力の購入を希望する複数の電力購入希望者が存在する場合、
前記処理部は、
複数の電力購入希望者のうち、前記第３種別に最も高い優先順位を付加している電力購入希望者に、前記第３種別の電力を割り当てる、
請求項６に記載の電力売買仲介システム。
【請求項８】
前記処理部は、
電力購入希望者に割り当てた電力の量と販売価格とに基づいて電力購入希望者に対する請求額を算出する請求部を備える、
請求項１から請求項７のいずれか一項に記載の電力売買仲介システム。
【請求項９】
前記電力売買仲介部は、
電力販売希望者が販売を希望する蓄電電力の量、属性および種別を算定する算定部を更に備える、
請求項１から請求項８のいずれか一項に記載の電力売買仲介システム。
【請求項１０】
前記算定部は、
電力販売希望者の蓄電池の充放電特性に基づいて、蓄電電力量から放電可能電力量を算出する、
請求項９に記載の電力売買仲介システム。
【請求項１１】
電力購入希望者と電力販売希望者との間の電力売買を仲介する電力売買仲介方法であって、
電力販売希望者が販売を希望する電力の量、属性および種別を取得する工程と、
電力販売希望者が販売を希望する電力の属性に、複数の種別が含まれる場合に、電力販売希望者が販売を希望する複数の種別の電力の量を種別毎に異なる色で表示する工程と、
電力購入希望者が購入を希望する電力の量、属性および種別を受け付ける工程と、
電力販売希望者が販売を希望する電力が有する属性および種別が、電力購入希望者が購入を希望する電力の属性および種別と同一である場合に、電力販売希望者が販売を希望する電力を電力購入希望者に割り当てる工程とを備える、
電力売買仲介方法。
【発明の詳細な説明】
【技術分野】
【０００１】
本発明の実施形態は、電力売買仲介システムおよび電力売買仲介方法に関する。
【背景技術】
【０００２】
従来の電力システムにおいては、グリッドに全ての発電機と負荷が接続されており、太陽光発電や風力発電といった再生可能エネルギーと、火力発電所のようにＣＯ２を排出する電源は区別されず需要家に供給されていた。また、電力の過不足を解消するための電力融通は電力会社間で行われるのみであり、例えば電気の需要家の間で電力を融通するような仕組みはなかった。
また従来、例えば産地等に基づき電力の差別化を図る電力売買仲介装置が知られている（例えば特許文献１参照）。
特許文献１に記載された電力売買仲介装置は、契約情報管理データベースと、各需要家に関するデータを格納する需要家情報データベースと、記憶装置とを有する。また、その電力売買仲介装置は、特定の発電所から特定の需要家への電力供給契約における特定の需要家の使用予定電力と特定の発電所のエリアの情報とを、契約毎に契約情報管理データベースに登録する登録手段を有する。また、その電力売買仲介装置は、契約情報管理データベースに格納された使用予定電力と対応する発電所のエリアの情報とを基に、各エリアにおける総供給電力を算出し、記憶装置に格納するエリア別供給電力算出手段を有する。
また、その電力売買仲介装置は、需要家情報データベースに格納された需要家の所在地の情報に基づき、エリア毎に、そのエリア内に所在地を有する需要家の、契約情報管理データベースに格納された使用予定電力を合計して、各エリアにおける総需要電力を算出し、記憶装置に格納するエリア別需要電力算出手段を有する。また、その電力売買仲介装置は、記憶装置に格納された総供給電力と総需要電力とを、エリア毎に比較し、総供給電力が多いエリアについてはそのエリア内の余剰電力を算出し、総需要電力が多いエリアについてはそのエリア内の不足電力を算出し、記憶装置に格納する余剰／不足電力算出手段を有する。また、その電力売買仲介装置は、余剰／不足電力算出手段にて算出した余剰電力と不足電力とを基に、余剰電力が生じているエリアから不足電力が生じているエリアへ送電を行う送電ルートを決定し、記憶装置に登録する第２の登録手段を有する。
【先行技術文献】
【特許文献】
【０００３】
【特許文献１】特許第４４０８６０４号公報
【発明の概要】
【発明が解決しようとする課題】
【０００４】
近年、各種補助施策により、再生可能エネルギー電源の普及が進んでおり、またＥＶを代表とする需要家側での蓄電装置も徐々に普及してきている。電源種別による環境負荷（ＣＯ２発生量等）の違いに着目した電力取引は、相対取引で実現した例はあるが、前日・当日市場で実現するためにはどの電源種別の電気がどこでどのくらい調達できるかの見える化技術が必要となる。また需要家側の蓄電装置を用いた電力融通方法については、どの電源種別の電気がどの程度蓄電されているかを見える化する技術は開示されているが、その情報を元にどのように融通するかについては開示がなく、考える必要がある。
また、特許文献１に記載された電力売買仲介装置では、産地等に基づき電力の差別化を図ることについて考慮されているものの、電力購入希望者の利便性について十分に考慮されていない。そのため、特許文献１に記載された電力売買仲介装置では、電力購入希望者は、例えば購入を希望する種別の電力が電力売買の対象になっているか否か等を容易に判断できないおそれがある。
本発明は、斯かる実情に鑑みなされたものであり、本発明の目的は、電力購入希望者の利便性を向上させることができる電力売買仲介システムおよび電力売買仲介方法を提供することにある。
【課題を解決するための手段】
【０００５】
本発明の一態様は、電力購入希望者と電力販売希望者との間の電力売買を仲介する電力売買仲介部を備え、前記電力売買仲介部は、電力販売希望者が販売を希望する電力の量、属性および種別を取得する取得部と、電力販売希望者が販売を希望する電力の属性に、複数の種別が含まれる場合に、電力販売希望者が販売を希望する複数の種別の電力の量を種別毎に異なる色で表示する表示部と、電力購入希望者が購入を希望する電力の量、属性および種別を受け付ける選択部と、電力販売希望者が販売を希望する電力の属性および種別が、電力購入希望者が購入を希望する電力の属性および種別と同一である場合に、電力販売希望者が販売を希望する電力を電力購入希望者に割り当てる処理部とを備える、電力売買仲介システムである。
【０００６】
本発明の一態様の電力売買仲介システムでは、電力販売希望者が販売を希望する電力が、その電力を発電した発電所の所在地である第１属性に分類される場合、前記表示部は、第１発電所が存在する第１地域において発電されかつ電力販売希望者が販売を希望する電力の量を、第１種別を示す第１色によって表示し、第２発電所が存在する第２地域において発電されかつ電力販売希望者が販売を希望する電力の量を、第２種別を示す第２色によって表示し、前記表示部によって表示される前記第１色の面積と前記第２色の面積との比は、前記第１発電所が発電しかつ電力販売希望者が販売を希望する電力の量と、前記第２発電所が発電しかつ電力販売希望者が販売を希望する電力の量との比と等しくてもよい。
【０００７】
本発明の一態様の電力売買仲介システムでは、電力販売希望者が販売を希望する電力が、その電力を発電した発電方法である第２属性に分類される場合、前記表示部は、第１発電方法によって発電されかつ電力販売希望者が販売を希望する電力の量を、第１種別を示す第１色によって表示し、第２発電方法によって発電されかつ電力販売希望者が販売を希望する電力の量を、第２種別を示す第２色によって表示し、前記表示部によって表示される前記第１色の面積と前記第２色の面積との比は、前記第１発電方法によって発電されかつ電力販売希望者が販売を希望する電力の量と、前記第２発電方法によって発電されかつ電力販売希望者が販売を希望する電力の量との比と等しくてもよい。
【０００８】
本発明の一態様の電力売買仲介システムでは、電力販売希望者が販売を希望する電力が、その電力が電力消費量が小さい時間帯に蓄電された電力であるか否かを示す系統安定貢献度である第３属性に分類される場合、前記表示部は、第１系統安定貢献度を有しかつ電力販売希望者が販売を希望する電力の量を、第１種別を示す第１色によって表示し、第２系統安定貢献度を有しかつ電力販売希望者が販売を希望する電力の量を、第２種別を示す第２色によって表示し、前記表示部によって表示される前記第１色の面積と前記第２色の面積との比は、前記第１系統安定貢献度を有しかつ電力販売希望者が販売を希望する電力の量と、前記第２系統安定貢献度を有しかつ電力販売希望者が販売を希望する電力の量との比と等しくてもよい。
【０００９】
本発明の一態様の電力売買仲介システムでは、電力販売希望者が販売を希望する電力が、その電力の販売価格である第４属性に分類される場合、前記表示部は、第１販売価格を有しかつ電力販売希望者が販売を希望する電力の量を、第１種別を示す第１色によって表示し、第２販売価格を有しかつ電力販売希望者が販売を希望する電力の量を、第２種別を示す第２色によって表示し、前記表示部によって表示される前記第１色の面積と前記第２色の面積との比は、前記第１販売価格を有しかつ電力販売希望者が販売を希望する電力の量と、前記第２販売価格を有しかつ電力販売希望者が販売を希望する電力の量との比と等しくてもよい。
【００１０】
本発明の一態様の電力売買仲介システムは、電力購入希望者が購入を希望する電力の属性に複数の種別が含まれる場合に、電力購入希望者が購入を希望する電力の複数の種別に優先順位を付加する付加部を更に備えてもよい。
【００１１】
本発明の一態様の電力売買仲介システムでは、電力販売希望者が販売を希望する電力に第３種別が含まれる場合であって、前記第３種別の電力の購入を希望する複数の電力購入希望者が存在する場合、前記処理部は、複数の電力購入希望者のうち、前記第３種別に最も高い優先順位を付加している電力購入希望者に、前記第３種別の電力を割り当ててもよい。
【００１２】
本発明の一態様の電力売買仲介システムでは、前記処理部は、電力購入希望者に割り当てた電力の量と販売価格とに基づいて電力購入希望者に対する請求額を算出する請求部を備えてもよい。
【００１３】
本発明の一態様の電力売買仲介システムでは、前記電力売買仲介部は、電力販売希望者が販売を希望する蓄電電力の量、属性および種別を算定する算定部を更に備えてもよい。
【００１４】
本発明の一態様の電力売買仲介システムでは、前記算定部は、電力販売希望者の蓄電池の充放電特性に基づいて、蓄電電力量から放電可能電力量を算出してもよい。
【００１５】
本発明の一態様は、電力購入希望者と電力販売希望者との間の電力売買を仲介する電力売買仲介方法であって、電力販売希望者が販売を希望する電力の量、属性および種別を取得する工程と、電力販売希望者が販売を希望する電力の属性に、複数の種別が含まれる場合に、電力販売希望者が販売を希望する複数の種別の電力の量を種別毎に異なる色で表示する工程と、電力購入希望者が購入を希望する電力の量、属性および種別を受け付ける工程と、電力販売希望者が販売を希望する電力が有する属性および種別が、電力購入希望者が購入を希望する電力の属性および種別と同一である場合に、電力販売希望者が販売を希望する電力を電力購入希望者に割り当てる工程とを備える、電力売買仲介方法である。
【発明の効果】
【００１６】
本発明によれば、電力購入希望者の利便性を向上させることができる電力売買仲介システムおよび電力売買仲介方法を提供することができる。
【図面の簡単な説明】
【００１７】
【図１】実施形態の電力売買仲介システムの概要の一例を示す図である。
【図２】電力販売希望者が販売を希望する電力が、その電力を発電した発電所の所在地である第１属性に分類される例を説明するための図である。
【図３】電力販売希望者が販売を希望する電力が、その電力を発電した発電方法である第２属性に分類される例を説明するための図である。
【図４】電力販売希望者によって蓄電されている蓄電電力などを説明するための図である。
【図５】電力販売希望者が販売を希望する電力が、その電力が電力消費量が小さい時間帯に蓄電された電力であるか否かを示す系統安定貢献度である第３属性に分類される例を説明するための図である。
【図６】電力販売希望者が販売を希望する電力が、その電力の販売価格である第４属性に分類される例を説明するための図である。
【図７】付加部によって付加される優先順位の一例を説明するための図である。
【図８】処理部による処理の一例を説明するためのフローチャートである。
【図９】処理部による処理の他の例を説明するためのフローチャートである。
【図１０】処理部による処理の他の例を説明するためのフローチャートである。
【図１１】電力購入希望者が購入電力選択条件をＡＮＤに設定する他の例を説明するための図である。
【図１２】処理部による処理の他の例を説明するためのフローチャートである。
【図１３】電力供給事業者の時間帯別の電力の属性別構成比率の一例を説明するための図である。
【発明を実施するための形態】
【００１８】
以下、本発明の実施の形態について添付図面を参照して説明する。
【００１９】
図１は実施形態の電力売買仲介システム１の概要の一例を示す図である。
図１に示す例では、電力売買仲介システム１が、電力購入希望者と電力販売希望者との間の電力売買を仲介する電力売買仲介部１１を備えている。電力売買仲介部１１は、取得部１１１と、表示部１１２と、選択部１１３と、処理部１１４と、付加部１１５と、算定部１１６と、記憶部１１７とを備えている。
取得部１１１は、電力販売希望者が販売を希望する電力の量、属性および種別を取得する。表示部１１２は、電力販売希望者が販売を希望する電力の属性に、複数の種別が含まれる場合に、電力販売希望者が販売を希望する複数の種別の電力の量を種別毎に異なる色で表示する。選択部１１３は、電力購入希望者が購入を希望する電力の量、属性および種別を受け付ける。
処理部１１４は、電力販売希望者が販売を希望する電力の属性および種別が、電力購入希望者が購入を希望する電力の属性および種別と同一である場合に、電力販売希望者が販売を希望する電力を電力購入希望者に割り当てる。処理部１１４は、請求部１１４Ａを備えている。請求部１１４Ａは、電力購入希望者に割り当てた電力の量と販売価格とに基づいて電力購入希望者に対する請求額を算出する。
付加部１１５は、電力購入希望者が購入を希望する電力の属性に複数の種別が含まれる場合に、電力購入希望者が購入を希望する電力の複数の種別に優先順位を付加する。算定部１１６は、電力販売希望者が販売を希望する蓄電電力の量、属性および種別を算定する。記憶部１１７は、電力販売希望者の時間帯別蓄電電力量を属性別に記憶する。
【００２０】
図２は電力販売希望者が販売を希望する電力が、その電力を発電した発電所の所在地である第１属性に分類される例を説明するための図である。詳細には、図２（Ａ）は、第１地域（北海道地域）ＡＲ１から第９地域（九州地域）ＡＲ９を示している。図２（Ｂ）は、第１地域（北海道地域）ＡＲ１から第９地域（九州地域）ＡＲ９の発電所によって発電されかつ電力販売希望者が販売を希望する電力の量を示している。
図２に示す例では、表示部１１２が、第１地域（北海道地域）ＡＲ１の発電所によって発電されかつ電力販売希望者が販売を希望する電力の量を、第１種別を示す第１色によって表示する。表示部１１２は、第２地域（東北地域）ＡＲ２の発電所によって発電されかつ電力販売希望者が販売を希望する電力の量を、第２種別を示す第２色によって表示する。表示部１１２は、第３地域（関東地域）ＡＲ３の発電所によって発電されかつ電力販売希望者が販売を希望する電力の量を、第３種別を示す第３色によって表示する。
また、表示部１１２は、第４地域（北陸地域）ＡＲ４の発電所によって発電されかつ電力販売希望者が販売を希望する電力の量を、第４種別を示す第４色によって表示する。表示部１１２は、第５地域（中部地域）ＡＲ５の発電所によって発電されかつ電力販売希望者が販売を希望する電力の量を、第５種別を示す第５色によって表示する。表示部１１２は、第６地域（関西地域）ＡＲ６の発電所によって発電されかつ電力販売希望者が販売を希望する電力の量を、第６種別を示す第６色によって表示する。
また、表示部１１２は、第７地域（中国地域）ＡＲ７の発電所によって発電されかつ電力販売希望者が販売を希望する電力の量を、第７種別を示す第７色によって表示する。表示部１１２は、第８地域（四国地域）ＡＲ８の発電所によって発電されかつ電力販売希望者が販売を希望する電力の量を、第８種別を示す第８色によって表示する。表示部１１２は、第９地域（四国地域）ＡＲ９の発電所によって発電されかつ電力販売希望者が販売を希望する電力の量を、第９種別を示す第９色によって表示する。
【００２１】
図２（Ｂ）に示す例では、表示部１１２によって表示される第１色の面積と、第２色の面積と、第３色の面積と、第４色の面積と、第５色の面積と、第６色の面積と、第７色の面積と、第８色の面積と、第９色の面積との比は、第１地域ＡＲ１の発電所が発電しかつ電力販売希望者が販売を希望する電力の量と、第２地域ＡＲ２の発電所が発電しかつ電力販売希望者が販売を希望する電力の量と、第３地域ＡＲ３の発電所が発電しかつ電力販売希望者が販売を希望する電力の量と、第４地域ＡＲ４の発電所が発電しかつ電力販売希望者が販売を希望する電力の量と、第５地域ＡＲ５の発電所が発電しかつ電力販売希望者が販売を希望する電力の量と、第６地域ＡＲ６の発電所が発電しかつ電力販売希望者が販売を希望する電力の量と、第７地域ＡＲ７の発電所が発電しかつ電力販売希望者が販売を希望する電力の量と、第８地域ＡＲ８の発電所が発電しかつ電力販売希望者が販売を希望する電力の量と、第９地域ＡＲ９の発電所が発電しかつ電力販売希望者が販売を希望する電力の量との比と等しい。
【００２２】
図１および図２に示す例では、取得部１１１は、電力販売希望者が販売を希望する電力の量、属性および種別（つまり、図２（Ｂ）に示す情報）を取得する。
図２に示す例では、電力販売希望者が販売を希望する電力の属性に、複数の種別が含まれるため、表示部１１２は、図２（Ｂ）に示すように、電力販売希望者が販売を希望する複数の種別の電力の量を種別毎に異なる色で表示する。
選択部１１３は、電力購入希望者が購入を希望する電力の量、属性および種別を受け付ける。つまり、表示部１１２を見た電力購入希望者は、自身が購入を希望する電力の量、属性および種別を、選択部１１３を介して入力する。
処理部１１４は、電力販売希望者が販売を希望する電力が有する属性および種別が、電力購入希望者が購入を希望する電力の属性および種別と同一である場合に、電力販売希望者が販売を希望する電力を電力購入希望者に割り当てる。
【００２３】
図１および図２に示す例では、電力販売希望者が販売を希望する複数の種別の電力の量を種別毎に異なる色で表示する表示部１１２が電力売買仲介システム１に備えられているため、電力購入希望者は、購入を希望する種別の電力が電力売買の対象になっているか否かを、表示部が備えられていない場合よりも容易に判断することができる。つまり、電力売買仲介システム１は、電力購入希望者の利便性を向上させることができる。
詳細には、図２に示す例では、表示部１１２は、電力販売希望者が販売を希望する第１種別の電力の量と、電力販売希望者が販売を希望する第２種別の電力の量と、電力販売希望者が販売を希望する第３種別の電力の量と、電力販売希望者が販売を希望する第４種別の電力の量と、電力販売希望者が販売を希望する第５種別の電力の量と、電力販売希望者が販売を希望する第６種別の電力の量と、電力販売希望者が販売を希望する第７種別の電力の量と、電力販売希望者が販売を希望する第８種別の電力の量と、電力販売希望者が販売を希望する第９種別の電力の量とを、電力購入希望者に容易に把握させることができる。
【００２４】
図３は電力販売希望者が販売を希望する電力が、その電力を発電した発電方法である第２属性に分類される例を説明するための図である。詳細には、図３（Ａ）は、第１発電方法（水力）Ｐ１から第６発電方法（バイオマス）Ｐ６を示している。図３（Ｂ）は、第１発電方法（水力）Ｐ１から第６発電方法（バイオマス）Ｐ６によって発電されかつ電力販売希望者が販売を希望する電力の量を示している。
図３に示す例では、表示部１１２が、第１発電方法（水力）Ｐ１によって発電されかつ電力販売希望者が販売を希望する電力の量を、第１種別を示す第１色によって表示する。表示部１１２は、第２発電方法（火力）Ｐ２によって発電されかつ電力販売希望者が販売を希望する電力の量を、第２種別を示す第２色によって表示する。表示部１１２は、第３発電方法（原子力）Ｐ３によって発電されかつ電力販売希望者が販売を希望する電力の量を、第３種別を示す第３色によって表示する。
また、表示部１１２は、第４発電方法（太陽光）Ｐ４によって発電されかつ電力販売希望者が販売を希望する電力の量を、第４種別を示す第４色によって表示する。表示部１１２は、第５発電方法（風力）Ｐ５によって発電されかつ電力販売希望者が販売を希望する電力の量を、第５種別を示す第５色によって表示する。表示部１１２は、第６発電方法（バイオマス）Ｐ６によって発電されかつ電力販売希望者が販売を希望する電力の量を、第６種別を示す第６色によって表示する。
【００２５】
図３（Ｂ）に示す例では、表示部１１２によって表示される第１色の面積と、第２色の面積と、第３色の面積と、第４色の面積と、第５色の面積と、第６色の面積との比は、第１発電方法Ｐ１によって発電されかつ電力販売希望者が販売を希望する電力の量と、第２発電方法Ｐ２によって発電されかつ電力販売希望者が販売を希望する電力の量と、第３発電方法Ｐ３によって発電されかつ電力販売希望者が販売を希望する電力の量と、第４発電方法Ｐ４によって発電されかつ電力販売希望者が販売を希望する電力の量と、第５発電方法Ｐ５によって発電されかつ電力販売希望者が販売を希望する電力の量と、第６発電方法Ｐ６によって発電されかつ電力販売希望者が販売を希望する電力の量との比と等しい。
【００２６】
図１および図３に示す例では、表示部１１２が電力売買仲介システム１に備えられているため、電力購入希望者は、購入を希望する種別の電力が電力売買の対象になっているか否かを、表示部が備えられていない場合よりも容易に判断することができる。つまり、電力売買仲介システム１は、電力購入希望者の利便性を向上させることができる。
詳細には、図３に示す例では、表示部１１２は、電力販売希望者が販売を希望する第１種別の電力の量と、電力販売希望者が販売を希望する第２種別の電力の量と、電力販売希望者が販売を希望する第３種別の電力の量と、電力販売希望者が販売を希望する第４種別の電力の量と、電力販売希望者が販売を希望する第５種別の電力の量と、電力販売希望者が販売を希望する第６種別の電力の量とを、電力購入希望者に容易に把握させることができる。
【００２７】
図４は電力販売希望者によって蓄電されている蓄電電力などを説明するための図である。詳細には、図４（Ａ）は例えば電力供給事業者から電力販売希望者に供給される電力の種別および量を３０分単位で示している。図４（Ｂ）は電力販売希望者によって蓄電される余剰電力の種別および量を３０分単位で示している。図４（Ｃ）は電力販売希望者の蓄電池に蓄電された電力の種別および量を示している。
【００２８】
図４に示す例では、図４（Ａ）に示すように、０：００〜０：３０の３０分間に、第２発電方法（火力）Ｐ２によって発電された第２種別の１単位（ブロック）分の電力と、第６発電方法（バイオマス）Ｐ６によって発電された第６種別の１単位分の電力と、第１発電方法（水力）Ｐ１によって発電された第１種別の２単位分の電力と、第３発電方法（原子力）Ｐ３によって発電された第３種別の２単位分の電力とが、例えば電力供給事業者から電力販売希望者に供給される。
図４（Ｂ）に示すように、０：００〜０：３０の３０分間には、例えば電力供給事業者から電力販売希望者に供給された電力のすべてが余剰電力として蓄電池に蓄電される。
【００２９】
図４に示す例では、図４（Ａ）に示すように、７：３０〜８：００の３０分間に、第４発電方法（太陽光）Ｐ４によって発電された第４種別の１単位分の電力と、第２発電方法（火力）Ｐ２によって発電された第２種別の１単位分の電力と、第５発電方法（風力）Ｐ５によって発電された第５種別の１単位分の電力と、第１発電方法（水力）Ｐ１によって発電された第１種別の１単位分の電力と、第３発電方法（原子力）Ｐ３によって発電された第３種別の２単位分の電力とが、例えば電力供給事業者から電力販売希望者に供給される。
図４（Ｂ）に示すように、７：３０〜８：００の３０分間には、例えば電力供給事業者から電力販売希望者に供給された電力のすべてが、電力販売希望者によって消費される。
【００３０】
図４に示す例では、図４（Ａ）に示すように、１４：３０〜１５：００の３０分間に、第４発電方法（太陽光）Ｐ４によって発電された第４種別の１単位分の電力と、第２発電方法（火力）Ｐ２によって発電された第２種別の１単位分の電力と、第５発電方法（風力）Ｐ５によって発電された第５種別の１単位分の電力と、第１発電方法（水力）Ｐ１によって発電された第１種別の２単位分の電力と、第３発電方法（原子力）Ｐ３によって発電された第３種別の１単位分の電力とが、例えば電力供給事業者から電力販売希望者に供給される。
図４（Ｂ）に示すように、１４：３０〜１５：００の３０分間には、第４発電方法（太陽光）Ｐ４によって発電された第４種別の１単位分の電力と、第１発電方法（水力）Ｐ１によって発電された第１種別の１単位分の電力と、第３発電方法（原子力）Ｐ３によって発電された第３種別の１単位分の電力とが、余剰電力として蓄電池に蓄電される。
その結果、図４（Ｃ）に示すように、１５：００の時点では、第４発電方法（太陽光）Ｐ４によって発電された第４種別の１１単位分の電力と、第２発電方法（火力）Ｐ２によって発電された第２種別の１３単位分の電力と、第６発電方法（バイオマス）Ｐ６によって発電された第６種別の８単位分の電力と、第１発電方法（水力）Ｐ１によって発電された第１種別の２２単位分の電力と、第３発電方法（原子力）Ｐ３によって発電された第３種別の２７単位分の電力とが、蓄電池に蓄電されている。
表示部１１２は、図４（Ｃ）に示す内容を、電力販売希望者が販売を希望する複数の種別の電力の量として、種別毎に異なる色で表示する。
【００３１】
図５は電力販売希望者が販売を希望する電力が、その電力が電力消費量が小さい時間帯に蓄電された電力であるか否かを示す系統安定貢献度である第３属性に分類される例を説明するための図である。詳細には、図５（Ａ）は、第１時間帯ＴＺ１から第８時間帯ＴＺ８を示している。図５（Ｂ）は、第１時間帯ＴＺ１から第８時間帯ＴＺ８に蓄電されかつ電力販売希望者が販売を希望する電力の量を示している。
図５（Ａ）に示す例では、第１時間帯ＴＺ１が０：００〜３：００に相当し、第２時間帯ＴＺ２が３：００〜６：００に相当し、第３時間帯ＴＺ３が６：００〜９：００に相当し、第４時間帯ＴＺ４が９：００〜１２：００に相当し、第５時間帯ＴＺ５が１２：００〜１５：００に相当し、第６時間帯ＴＺ６が１５：００〜１８：００に相当し、第７時間帯ＴＺ７が１８：００〜２１：００に相当し、第８時間帯ＴＺ８が２１：００〜２４：００に相当する。電力消費量が小さい第１時間帯ＴＺ１から第３時間帯ＴＺ３に蓄電された電力は、高い系統安定貢献度を有する。電力消費量が大きい第４時間帯ＴＺ４から第６時間帯ＴＺ６に蓄電された電力は、低い系統安定貢献度を有する。電力消費量が小さい第７時間帯ＴＺ７から第８時間帯ＴＺ８に蓄電された電力は、高い系統安定貢献度を有する。
【００３２】
図５に示す例では、表示部１１２が、第１系統安定貢献度（高い系統安定貢献度）を有しかつ電力販売希望者が販売を希望する、第１時間帯ＴＺ１に蓄電された電力の量を、第１種別を示す第１色によって表示し、第２系統安定貢献度（高い系統安定貢献度）を有しかつ電力販売希望者が販売を希望する、第２時間帯ＴＺ２に蓄電された電力の量を、第２種別を示す第２色によって表示する。
また、表示部１１２は、第３系統安定貢献度（高い系統安定貢献度）を有しかつ電力販売希望者が販売を希望する、第３時間帯ＴＺ３に蓄電された電力の量を、第３種別を示す第３色によって表示し、第４系統安定貢献度（低い系統安定貢献度）を有しかつ電力販売希望者が販売を希望する、第４時間帯ＴＺ４に蓄電された電力の量を、第４種別を示す第４色によって表示する。
また、表示部１１２は、第５系統安定貢献度（低い系統安定貢献度）を有しかつ電力販売希望者が販売を希望する、第５時間帯ＴＺ５に蓄電された電力の量を、第５種別を示す第５色によって表示し、第６系統安定貢献度（低い系統安定貢献度）を有しかつ電力販売希望者が販売を希望する、第６時間帯ＴＺ６に蓄電された電力の量を、第６種別を示す第６色によって表示する。
また、表示部１１２は、第７系統安定貢献度（高い系統安定貢献度）を有しかつ電力販売希望者が販売を希望する、第７時間帯ＴＺ７に蓄電された電力の量を、第７種別を示す第７色によって表示し、第８系統安定貢献度（高い系統安定貢献度）を有しかつ電力販売希望者が販売を希望する、第８時間帯ＴＺ８に蓄電された電力の量を、第８種別を示す第８色によって表示する。
【００３３】
図５（Ｂ）に示す例では、表示部１１２によって表示される第１色の面積と、第２色の面積と、第３色の面積と、第４色の面積と、第５色の面積と、第６色の面積と、第７色の面積と、第８色の面積との比は、第１系統安定貢献度を有しかつ電力販売希望者が販売を希望する、第１時間帯ＴＺ１に蓄電された電力の量と、第２系統安定貢献度を有しかつ電力販売希望者が販売を希望する、第２時間帯ＴＺ２に蓄電された電力の量と、第３系統安定貢献度を有しかつ電力販売希望者が販売を希望する、第３時間帯ＴＺ３に蓄電された電力の量と、第４系統安定貢献度を有しかつ電力販売希望者が販売を希望する、第４時間帯ＴＺ４に蓄電された電力の量と、第５系統安定貢献度を有しかつ電力販売希望者が販売を希望する、第５時間帯ＴＺ５に蓄電された電力の量と、第６系統安定貢献度を有しかつ電力販売希望者が販売を希望する、第６時間帯ＴＺ６に蓄電された電力の量と、第７系統安定貢献度を有しかつ電力販売希望者が販売を希望する、第７時間帯ＴＺ７に蓄電された電力の量と、第８系統安定貢献度を有しかつ電力販売希望者が販売を希望する、第８時間帯ＴＺ８に蓄電された電力の量との比と等しい。
【００３４】
図１および図５に示す例では、表示部１１２が電力売買仲介システム１に備えられているため、電力購入希望者は、購入を希望する種別の電力が電力売買の対象になっているか否かを、表示部が備えられていない場合よりも容易に判断することができる。つまり、電力売買仲介システム１は、電力購入希望者の利便性を向上させることができる。
詳細には、図５に示す例では、表示部１１２は、電力販売希望者が販売を希望する第１種別の電力の量と、電力販売希望者が販売を希望する第２種別の電力の量と、電力販売希望者が販売を希望する第３種別の電力の量と、電力販売希望者が販売を希望する第４種別の電力の量と、電力販売希望者が販売を希望する第５種別の電力の量と、電力販売希望者が販売を希望する第６種別の電力の量と、電力販売希望者が販売を希望する第７種別の電力の量と、電力販売希望者が販売を希望する第８種別の電力の量とを、電力購入希望者に容易に把握させることができる。
【００３５】
図６は電力販売希望者が販売を希望する電力が、その電力の販売価格である第４属性に分類される例を説明するための図である。詳細には、図６（Ａ）は、第１販売価格Ｃ１から第６販売価格Ｃ６を示している。図６（Ｂ）は、第１販売価格Ｃ１から第６販売価格Ｃ６を有しかつ電力販売希望者が販売を希望する電力の量を示している。
図６に示す例では、第１販売価格Ｃ１が第２販売価格Ｃ２よりも安価であり、第２販売価格Ｃ２が第３販売価格Ｃ３よりも安価であり、第３販売価格Ｃ３が第４販売価格Ｃ４よりも安価であり、第４販売価格Ｃ４が第５販売価格Ｃ５よりも安価であり、第５販売価格Ｃ５が第６販売価格Ｃ６よりも安価である。
表示部１１２は、第１販売価格Ｃ１を有しかつ電力販売希望者が販売を希望する電力の量を、第１種別を示す第１色によって表示する。表示部１１２は、第２販売価格Ｃ２を有しかつ電力販売希望者が販売を希望する電力の量を、第２種別を示す第２色によって表示する。表示部１１２は、第３販売価格Ｃ３を有しかつ電力販売希望者が販売を希望する電力の量を、第３種別を示す第３色によって表示する。
また、表示部１１２は、第４販売価格Ｃ４を有しかつ電力販売希望者が販売を希望する電力の量を、第４種別を示す第４色によって表示する。表示部１１２は、第５販売価格Ｃ５を有しかつ電力販売希望者が販売を希望する電力の量を、第５種別を示す第５色によって表示する。表示部１１２は、第６販売価格Ｃ６を有しかつ電力販売希望者が販売を希望する電力の量を、第６種別を示す第６色によって表示する。
【００３６】
図６（Ｂ）に示す例では、表示部１１２によって表示される第１色の面積と、第２色の面積と、第３色の面積と、第４色の面積と、第５色の面積と、第６色の面積との比は、第１販売価格Ｃ１を有しかつ電力販売希望者が販売を希望する電力の量と、第２販売価格Ｃ２を有しかつ電力販売希望者が販売を希望する電力の量と、第３販売価格Ｃ３を有しかつ電力販売希望者が販売を希望する電力の量と、第４販売価格Ｃ４を有しかつ電力販売希望者が販売を希望する電力の量と、第５販売価格Ｃ５を有しかつ電力販売希望者が販売を希望する電力の量と、第６販売価格Ｃ６を有しかつ電力販売希望者が販売を希望する電力の量との比と等しい。
【００３７】
図１および図６に示す例では、表示部１１２が電力売買仲介システム１に備えられているため、電力購入希望者は、購入を希望する種別の電力が電力売買の対象になっているか否かを、表示部が備えられていない場合よりも容易に判断することができる。つまり、電力売買仲介システム１は、電力購入希望者の利便性を向上させることができる。
詳細には、図６に示す例では、表示部１１２は、第１販売価格Ｃ１を有しかつ電力販売希望者が販売を希望する第１種別の電力の量と、第２販売価格Ｃ２を有しかつ電力販売希望者が販売を希望する第２種別の電力の量と、第３販売価格Ｃ３を有しかつ電力販売希望者が販売を希望する第３種別の電力の量と、第４販売価格Ｃ４を有しかつ電力販売希望者が販売を希望する第４種別の電力の量と、第５販売価格Ｃ５を有しかつ電力販売希望者が販売を希望する第５種別の電力の量と、第６販売価格Ｃ６を有しかつ電力販売希望者が販売を希望する第６種別の電力の量とを、電力購入希望者に容易に把握させることができる。
【００３８】
上述したように、図１に示す例では、付加部１１５は、電力購入希望者が購入を希望する電力の属性に複数の種別が含まれる場合に、電力購入希望者が購入を希望する電力の複数の種別に優先順位を付加する。
【００３９】
図７は付加部１１５によって付加される優先順位の一例を説明するための図である。
図７に示す例では、８１（＝９×９）単位（ブロック）分の電力が、電力販売希望者の蓄電池に蓄電されている。詳細には、第４発電方法（太陽光）Ｐ４によって発電された第４種別の１１単位分の電力と、第２発電方法（火力）Ｐ２によって発電された第２種別の１３単位分の電力と、第６発電方法（バイオマス）Ｐ６によって発電された第６種別の８単位分の電力と、第１発電方法（水力）Ｐ１によって発電された第１種別の２２単位分の電力と、第３発電方法（原子力）Ｐ３によって発電された第３種別の２７単位分の電力とが、電力販売希望者の蓄電池に蓄電されている。
図７に示す例では、電力購入希望者が、合計で２０単位（ブロック）の電力の購入を希望しており、その希望が処理部１１４に入力される。また、電力購入希望者が購入を希望する電力の種別の優先順位が、「太陽光→バイオマス→水力→火力→原子力」であり、付加部１１５は、その優先順位を付加して処理部１１４に入力する。
その結果、処理部１１４は、電力購入希望者が、第４発電方法（太陽光）Ｐ４によって発電された第４種別の１１単位分の電力、第６発電方法（バイオマス）Ｐ６によって発電された第６種別の８単位分の電力、および、第１発電方法（水力）Ｐ１によって発電された第１種別の１単位分の電力の購入を希望していると判断する。
そのため、電力売買仲介部１１は、付加部を備えていない場合よりも円滑に電力の売買を成立させることができる。
【００４０】
図１に示す例では、電力販売希望者が販売を希望する電力に第３種別の電力（例えば第３発電方法（原子力）Ｐ３によって発電された電力）が含まれる場合であって、第３種別の電力の購入を希望する複数の電力購入希望者が存在する場合、処理部１１４は、複数の電力購入希望者のうち、第３種別に最も高い優先順位を付加している電力購入希望者に、第３種別の電力を割り当てる。
そのため、電力売買仲介部１１は、第３種別の電力の売買が不成立になってしまうおそれを抑制することができる。
【００４１】
図８は処理部１１４による処理の一例を説明するためのフローチャートである。
図８に示す例では、ステップＳ１において、処理部１１４は、電力販売希望者が販売を希望する電力に第４種別の電力（例えば第４発電方法（太陽光）Ｐ４によって発電された電力）が含まれるか否かを判定する。電力販売希望者が販売を希望する電力に第４種別の電力が含まれる場合には、ステップＳ２に進む。電力販売希望者が販売を希望する電力に第４種別の電力が含まれない場合には、図８に示すルーチンを終了する。
ステップＳ２では、処理部１１４は、第４種別の電力の購入を希望する第１電力購入希望者と第２電力購入希望者とが存在するか否かを判定する。第４種別の電力の購入を希望する第１電力購入希望者と第２電力購入希望者とが存在する場合には、ステップＳ３に進む。第４種別の電力の購入を希望する第１電力購入希望者と第２電力購入希望者とが存在しない場合には、図８に示すルーチンを終了する。
【００４２】
ステップＳ３では、処理部１１４は、第４種別の電力に対して第１電力購入希望者が付加している優先順位と、第４種別の電力に対して第２電力購入希望者が付加している優先順位とが等しいか否かを判定する。第４種別の電力に対して第１電力購入希望者が付加している優先順位と、第４種別の電力に対して第２電力購入希望者が付加している優先順位とが等しい場合には、ステップＳ４に進む。第４種別の電力に対して第１電力購入希望者が付加している優先順位と、第４種別の電力に対して第２電力購入希望者が付加している優先順位とが等しくない場合には、図８に示すルーチンを終了する。
ステップＳ４では、処理部１１４は、第１電力購入希望者が購入を希望する第４種別の電力の量と、第２電力購入希望者が購入を希望する第４種別の電力の量とが等しいか否かを判定する。第１電力購入希望者が購入を希望する第４種別の電力の量と、第２電力購入希望者が購入を希望する第４種別の電力の量とが等しい場合には、ステップＳ５に進む。第１電力購入希望者が購入を希望する第４種別の電力の量と、第２電力購入希望者が購入を希望する第４種別の電力の量とが等しくない場合には、図８に示すルーチンを終了する。
【００４３】
ステップＳ５では、処理部１１４は、電力販売希望者が販売を希望する第４種別の電力の量が、第１電力購入希望者が購入を希望する第４種別の電力の量と、第２電力購入希望者が購入を希望する第４種別の電力の量との和よりも少ないか否かを判定する。電力販売希望者が販売を希望する第４種別の電力の量が、第１電力購入希望者が購入を希望する第４種別の電力の量と、第２電力購入希望者が購入を希望する第４種別の電力の量との和よりも少ない場合には、ステップＳ６に進む。電力販売希望者が販売を希望する第４種別の電力の量が、第１電力購入希望者が購入を希望する第４種別の電力の量と、第２電力購入希望者が購入を希望する第４種別の電力の量との和以上の場合には、図８に示すルーチンを終了する。
ステップＳ６では、処理部１１４は、電力販売希望者が販売を希望する第４種別の電力を、第１電力購入希望者と第２電力購入希望者とに均等に割り当てる。
そのため、電力売買仲介システム１は、第４種別の電力の売買が不成立になってしまうおそれを抑制することができる。
【００４４】
図９は処理部１１４による処理の他の例を説明するためのフローチャートである。
図９に示す例では、ステップＳ１１において、処理部１１４は、電力販売希望者が販売を希望する電力に第５種別の電力（例えば第５発電方法（風力）Ｐ５によって発電された電力）が含まれるか否かを判定する。電力販売希望者が販売を希望する電力に第５種別の電力が含まれる場合には、ステップＳ１２に進む。電力販売希望者が販売を希望する電力に第５種別の電力が含まれない場合には、図９に示すルーチンを終了する。
ステップＳ１２では、処理部１１４は、第５種別の電力の購入を希望する第１電力購入希望者と第２電力購入希望者とが存在するか否かを判定する。第５種別の電力の購入を希望する第１電力購入希望者と第２電力購入希望者とが存在する場合には、ステップＳ１３に進む。第５種別の電力の購入を希望する第１電力購入希望者と第２電力購入希望者とが存在しない場合には、図９に示すルーチンを終了する。
【００４５】
ステップＳ１３では、処理部１１４は、第５種別の電力に対して第１電力購入希望者が付加している優先順位と、第５種別の電力に対して第２電力購入希望者が付加している優先順位とが等しいか否かを判定する。第５種別の電力に対して第１電力購入希望者が付加している優先順位と、第５種別の電力に対して第２電力購入希望者が付加している優先順位とが等しい場合には、ステップＳ１４に進む。第５種別の電力に対して第１電力購入希望者が付加している優先順位と、第５種別の電力に対して第２電力購入希望者が付加している優先順位とが等しくない場合には、図９に示すルーチンを終了する。
ステップＳ１４では、処理部１１４は、第１電力購入希望者が購入を希望する第５種別の電力の量が、第２電力購入希望者が購入を希望する第５種別の電力の量よりも多いか否かを判定する。第１電力購入希望者が購入を希望する第５種別の電力の量が、第２電力購入希望者が購入を希望する第５種別の電力の量よりも多い場合には、ステップＳ１５に進む。第１電力購入希望者が購入を希望する第５種別の電力の量が、第２電力購入希望者が購入を希望する第５種別の電力の量以下の場合には、図９に示すルーチンを終了する。
【００４６】
ステップＳ１５では、処理部１１４は、電力販売希望者が販売を希望する第５種別の電力の量が、第１電力購入希望者が購入を希望する第５種別の電力の量と、第２電力購入希望者が購入を希望する第５種別の電力の量との和よりも少ないか否かを判定する。電力販売希望者が販売を希望する第５種別の電力の量が、第１電力購入希望者が購入を希望する第５種別の電力の量と、第２電力購入希望者が購入を希望する第５種別の電力の量との和よりも少ない場合には、ステップＳ１６に進む。電力販売希望者が販売を希望する第５種別の電力の量が、第１電力購入希望者が購入を希望する第５種別の電力の量と、第２電力購入希望者が購入を希望する第５種別の電力の量との和以上の場合には、図９に示すルーチンを終了する。
ステップＳ１６では、処理部１１４は、第１電力購入希望者に割り当てられる電力の量が、第２電力購入希望者に割り当てられる電力の量よりも多くなるように、電力販売希望者が販売を希望する第５種別の電力を、第１電力購入希望者と第２電力購入希望者とに割り当てる。
そのため、電力売買仲介システム１は、第５種別の電力の売買が不成立になってしまうおそれを抑制することができる。
【００４７】
図１０は処理部１１４による処理の他の例を説明するためのフローチャートである。
図１０に示す例では、ステップＳ２１において、処理部１１４は、電力購入希望者が購入を希望する電力に複数の属性が含まれるか否かを判定する。電力購入希望者が購入を希望する電力に複数の属性が含まれる場合には、ステップＳ２２に進む。電力購入希望者が購入を希望する電力に複数の属性が含まれない場合には、図１０に示すルーチンを終了する。
ステップＳ２２では、処理部１１４は、電力購入希望者が、複数の属性のうちの一の属性（例えば図２に示す第１属性）に含まれる第６種別の電力（例えば第６地域（関西地域）ＡＲ６の発電所によって発電された電力）の購入を希望し、かつ、複数の属性のうちの他の属性（例えば図６に示す第４属性）に含まれる第７種別の電力（例えば最も高価な電力）の購入を希望するか否かを判定する。電力購入希望者が、一の属性に含まれる第６種別の電力の購入を希望し、かつ、他の属性に含まれる第７種別の電力の購入を希望する場合には、ステップＳ２３に進む。電力購入希望者が、一の属性に含まれる第６種別の電力の購入を希望しない場合、あるいは、電力購入希望者が、他の属性に含まれる第７種別の電力の購入を希望しない場合には、図１０に示すルーチンを終了する。
【００４８】
ステップＳ２３では、処理部１１４は、電力購入希望者が購入電力選択条件をＡＮＤに設定しているか否かを判定する。電力購入希望者が購入電力選択条件をＡＮＤに設定している場合には、ステップＳ２４に進む。電力購入希望者が購入電力選択条件をＡＮＤに設定していない場合には、図１０に示すルーチンを終了する。
ステップＳ２４では、処理部１１４は、電力販売希望者が、第６種別の電力であって第７種別の電力でもある電力（例えば第６地域ＡＲ６の発電所によって発電された高価な電力）の販売を希望するか否かを判定する。電力販売希望者が、第６種別の電力であって第７種別の電力でもある電力の販売を希望する場合には、ステップＳ２５に進む。電力販売希望者が、第６種別の電力であって第７種別の電力でもある電力の販売を希望しない場合には、図１０に示すルーチンを終了する。
ステップＳ２５では、処理部１１４は、第６種別の電力であって第７種別の電力でもある電力を電力購入希望者に割り当てる。
【００４９】
図１１は電力購入希望者が購入電力選択条件をＡＮＤに設定する他の例を説明するための図である。詳細には、図１１（Ａ）は、電力販売希望者の蓄電池に蓄電されている電力を第２属性（図３に示す属性）に基づいて色分け表示している。図１１（Ｂ）は、電力販売希望者の蓄電池に蓄電されている電力を第４属性（図６に示す属性）に基づいて色分け表示している。
図１１に示す例では、８１（＝９×９）単位（ブロック）分の電力が、電力販売希望者の蓄電池に蓄電されている。
詳細には、図１１（Ａ）に示す例では、第４発電方法（太陽光）Ｐ４によって発電された第４種別の１１単位分の電力と、第２発電方法（火力）Ｐ２によって発電された第２種別の１３単位分の電力と、第６発電方法（バイオマス）Ｐ６によって発電された第６種別の８単位分の電力と、第１発電方法（水力）Ｐ１によって発電された第１種別の２２単位分の電力と、第３発電方法（原子力）Ｐ３によって発電された第３種別の２７単位分の電力とが、電力販売希望者の蓄電池に蓄電されている。
【００５０】
図１１（Ａ）および図１１（Ｂ）に示す例では、第４発電方法（太陽光）Ｐ４によって発電された第４種別の１１単位分の電力が、高価な電力である。第２発電方法（火力）Ｐ２によって発電された第２種別の１３単位分の電力のうち、５単位分の電力が高価な電力であり、８単位分の電力が安価な電力である。
第６発電方法（バイオマス）Ｐ６によって発電された第６種別の８単位分の電力が、安価な電力である。第１発電方法（水力）Ｐ１によって発電された第１種別の２２単位分の電力のうち、６単位分の電力が高価な電力であり、１６単位分の電力が安価な電力である。第３発電方法（原子力）Ｐ３によって発電された第３種別の２７単位分の電力のうち、１１単位分の電力が高価な電力であり、１６単位分の電力が安価な電力である。
【００５１】
図１１に示す例では、電力購入希望者が、合計で２０単位（ブロック）の電力の購入を希望している。電力購入希望者は、安価な電力の購入を希望しており、高価な電力の購入を希望していない。また、電力購入希望者が購入を希望する電力の種別の優先順位が、「太陽光→バイオマス→水力→火力→原子力」である。
その結果、処理部１１４は、電力購入希望者が、第６発電方法（バイオマス）Ｐ６によって発電された第６種別の８単位分の電力、および、第１発電方法（水力）Ｐ１によって発電された第１種別の１２単位分の電力の購入を希望していると判断する。
【００５２】
図１２は処理部１１４による処理の他の例を説明するためのフローチャートである。
図１２に示す例では、ステップＳ３１において、処理部１１４は、電力購入希望者が購入を希望する電力に複数の属性が含まれるか否かを判定する。電力購入希望者が購入を希望する電力に複数の属性が含まれる場合には、ステップＳ３２に進む。電力購入希望者が購入を希望する電力に複数の属性が含まれない場合には、図１２に示すルーチンを終了する。
ステップＳ３２では、処理部１１４は、電力購入希望者が、複数の属性のうちの一の属性（例えば図２に示す第１属性）に含まれる第８種別の電力（例えば第８地域（四国地域）ＡＲ８の発電所によって発電された電力）の購入を希望するか、あるいは、複数の属性のうちの他の属性（例えば図６に示す第４属性）に含まれる第９種別の電力（例えば最も安価な電力）の購入を希望するか否かを判定する。電力購入希望者が、一の属性に含まれる第８種別の電力の購入を希望するか、あるいは、他の属性に含まれる第９種別の電力の購入を希望する場合には、ステップＳ３３に進む。電力購入希望者が、一の属性に含まれる第８種別の電力の購入を希望しない場合であって、電力購入希望者が、他の属性に含まれる第９種別の電力の購入も希望しない場合には、図１２に示すルーチンを終了する。
【００５３】
ステップＳ３３では、処理部１１４は、電力購入希望者が購入電力選択条件をＯＲに設定しているか否かを判定する。電力購入希望者が購入電力選択条件をＯＲに設定している場合には、ステップＳ３４に進む。電力購入希望者が購入電力選択条件をＯＲに設定していない場合には、図１２に示すルーチンを終了する。
ステップＳ３４では、処理部１１４は、電力販売希望者が、第８種別の電力または第９種別の電力の販売を希望するか否かを判定する。電力販売希望者が、第８種別の電力または第９種別の電力の販売を希望する場合には、ステップＳ３５に進む。電力販売希望者が、第８種別の電力の販売を希望せず、第９種別の電力の販売も希望しない場合には、図１２に示すルーチンを終了する。
ステップＳ３５では、処理部１１４は、第８種別の電力または第９種別の電力を電力購入希望者に割り当てる。
【００５４】
図１に示す例では、処理部１１４が、電力販売希望者が販売を希望する電力を電力購入希望者に割り当てた場合、請求部１１４Ａは、電力購入希望者に割り当てた電力の量と販売価格とに基づいて、電力購入希望者に対する請求額を算出する。
【００５５】
上述したように、図１に示す例では、算定部１１６は、電力販売希望者が販売を希望する蓄電電力の量、属性および種別を算定する。
図４に示す例では、電力販売希望者が、第１発電方法（水力）Ｐ１によって発電された第１種別の電力の供給を第１電力供給事業者から受け、第２発電方法（火力）Ｐ２によって発電された第２種別の電力の供給を第２電力供給事業者から受け、第３発電方法（原子力）Ｐ３によって発電された第３種別の電力の供給を第３電力供給事業者から受け、第４発電方法（太陽光）Ｐ４によって発電された第４種別の電力の供給を第４電力供給事業者から受け、第５発電方法（風力）Ｐ５によって発電された第５種別の電力の供給を第５電力供給事業者から受け、第６発電方法（バイオマス）Ｐ６によって発電された第６種別の電力の供給を第６電力供給事業者から受ける。
算定部１１６は、電力販売希望者が契約している第１から第６電力供給事業者の情報に基づいて、電力販売希望者が販売を希望する蓄電電力の種別を算定する。
【００５６】
図１３は電力供給事業者の時間帯別の電力の属性別構成比率の一例を説明するための図である。
図１３に示す例では、電力供給事業者が、Ａ県のＡ１発電所から、火力（ディーゼル）によって発電された電力を１０：３０に１０００ｋＷｈで調達し、Ｂ県のＢ１発電所から、太陽光（ＰＶ）によって発電された電力を１０：３０に２００ｋＷｈで調達する。電力供給事業者と契約している電力販売希望者は、電力供給事業者から、Ａ県のＡ１発電所において火力（ディーゼル）によって発電された電力を１０：３０に８００ｋＷｈで供給され、Ｂ県のＢ１発電所において太陽光（ＰＶ）によって発電された電力を１０：３０に２００ｋＷｈで供給される。電力供給事業者は、他者に対し、Ａ県のＡ１発電所において火力（ディーゼル）によって発電された電力を１０：３０に２００ｋＷｈで供給する。
電力販売希望者は、電力供給事業者から１０：３０に８００ｋＷｈで供給された火力（ディーゼル）によって発電された電力を蓄電池に蓄電すると共に、電力供給事業者から１０：３０に２００ｋＷｈで供給された太陽光（ＰＶ）によって発電された電力を蓄電池に蓄電する。火力（ディーゼル）によって発電された電力の価格は１５円／ｋＷｈであり、太陽光（ＰＶ）によって発電された電力の価格は５円／ｋＷｈである。
【００５７】
図１３に示す例では、電力が発電された時点の情報（場所、電源種別、系統安定）で色付けがされ、色付け情報が作成される。その後、その色付け情報を常に持ちまわることになる。電力供給事業者がＡ１発電所およびＢ１発電所から調達した電力についても色の情報を持ったものである。その電力が電力販売希望者によって蓄電されるため、電力販売希望者によって蓄電される電力は、発電された時点の情報で色付けされた色と同じ色を持ったままである。
【００５８】
図１および図１３に示す例では、算定部１１６が、電力供給事業者の時間帯別の電力の属性別構成比率を算出する。属性別構成比率は、発電時の電力の属性（場所、電源種別、系統安定性）と電力の送配電経路である流通情報とによって定められる。「電力供給事業者の時間帯別の電力の属性別構成比率」は、「持ちまわり」によって管理される情報である。
【００５９】
図１および図１３に示す例では、算定部１１６が、電力販売希望者の蓄電池の充放電特性に基づいて、蓄電電力量から放電可能電力量を算出する（充放電効率を乗ずる）。
電力売買仲介システム１において、蓄電電力データは、「電力量、属性１、属性２、属性３…」のような形式で管理される。
表示部１１２は、例えば蓄電池単位、需要家単位、属性別（電源種別別、エリア別等）を切替表示可能である。
【００６０】
上述したように、実施形態の電力売買仲介システム１は、
（１）需要家の蓄電池にどのような電力が蓄電されているかの算定方法、
（２）算定結果の視覚化方法、
（３）電力の要求側の電力選択方法、
（４）電力融通の実現と生産方法
の４つにより、電力品質を考慮した電力融通を実現するものである。
電力売買仲介システム１によれば、蓄電電力を各種属性（電源種別、系統安定貢献度、エリア、価格）に基づき融通する取引を実現できる。
【００６１】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００６２】
１…電力売買仲介システム、１１…電力売買仲介部、１１１…取得部、１１２…表示部、１１３…選択部、１１４…処理部、１１４Ａ…請求部、１１５…付加部、１１６…算定部、１１７…記憶部
【図１】
2019046155.tif 000003
【図２】
2019046155.tif 000004
【図３】
2019046155.tif 000005
【図４】
2019046155.tif 000006
【図５】
2019046155.tif 000007
【図６】
2019046155.tif 000008
【図７】
2019046155.tif 000009
【図８】
2019046155.tif 000010
【図９】
2019046155.tif 000011
【図１０】
2019046155.tif 000012
【図１１】
2019046155.tif 000013
【図１２】
2019046155.tif 000014
【図１３】
2019046155.tif 000015